(57)【要約】【課題】  撮影する装置の向きに応じて、記憶する画像の数を決定可能な仕組みを提供すること【解決するための手段】  撮影装置を備える情報処理装置において、撮影装置による撮影が、自機が縦向きの状態で行われたか横向きの状態で行われたかを判定し、自機が縦向きの状態で撮影されたと判定される画像を分割することなく１枚の画像として記憶し、自機が横向きの状態で撮影されたと判定される画像を複数枚の画像に分割して記憶すべく制御する【選択図】図６
2018129734.tif 000002
【特許請求の範囲】
【請求項１】
撮影手段を備える情報処理装置であって、
撮影手段による撮影が、自機が縦向きの状態で行われたか横向きの状態で行われたかを判定する判定手段と、
前記判定手段により自機が縦向きの状態で撮影されたと判定される画像を分割することなく１枚の画像として記憶し、前記判定手段により自機が横向きの状態で撮影されたと判定される画像を複数枚の画像に分割して記憶すべく制御する記憶制御手段と、
を備えることを特徴とする情報処理装置。
【請求項２】
前記撮影手段による１回の撮影で得られた画像をユーザに確認させるべく、画像の撮影がされる都度、表示する表示手段と、
を備え、
前記表示手段は、前記判定手段により自機が縦向きの状態で撮影されたと判定される画像を表示する場合には、前記記憶制御手段により記憶された１枚の画像を表示し、前記判定手段により自機が横向きの状態で撮影されたと判定される画像を表示する場合には、前記撮影手段による１回の撮影で得られた画像が前記記憶制御手段により複数枚の画像として記憶されたことを識別可能に前記複数枚の画像を表示することを特徴とする請求項１に記載の情報処理装置。
【請求項３】
前記記憶制御手段は、前記１枚の画像又は前記複数枚の画像を一時記憶領域に記憶する制御をし、
前記情報処理装置はさらに、
撮影された画像をユーザからの操作を要することなく永続記憶領域に記憶する第１のモードと、撮影された画像をユーザからの操作に応じて永続記憶領域に記憶する第２のモードのいずれかを設定する設定手段と、
前記表示手段により表示された画像を自機の永続記憶領域に記憶する操作を受け付けたか判定する操作判定手段と、
前記第２のモードが設定されている場合、前記操作判定手段により、前記表示手段により表示された画像を自機の永続記憶領域に記憶しない操作を受け付けたことに応じて当該画像を自機の永続記憶領域に記憶し、前記第１のモードが設定されている場合、前記撮影手段により撮影された画像を、当該撮影に応じて自動で自機の永続記憶領域に記憶する記憶手段と、
を備えることを特徴とする請求項２に記載の情報処理装置。
【請求項４】
前記表示手段は、前記複数枚の画像を分離させて表示することで、前記撮影手段による１回の撮影で得られた画像が前記記憶制御手段により複数枚の画像として記憶されたことを識別可能に表示することを特徴とする請求項２又は３に記載の情報処理装置。
【請求項５】
前記記憶制御手段により記憶された画像の送信先を、第１のモードが設定された状態で撮影された画像である場合には第１の送信先とし、第２のモードが設定された状態で撮影された画像である場合には第２の送信先とすることを決定する送信先決定手段と、
を備えることを特徴とする請求項４に記載の情報処理装置。
【請求項６】
被写体の画像を送信すべき送信先のサーバ装置と通信可能であって、
前記記憶制御手段により記憶された画像であって、前記サーバ装置に送信する候補とする画像を個別に選択可能に一覧表示する一覧表示手段と、
前記一覧表示手段において一覧表示された画像の中から、前記サーバ装置に送信する画像の選択を受け付ける選択受付手段と、
前記選択受付手段により選択を受け付けた画像を、前記サーバ装置に送信する送信手段と、
を備える請求項１乃至５のいずれか１項に記載の情報処理装置。
【請求項７】
前記判定手段により判定され特定された画像の撮影が行われた自機の向きと、当該撮影より前に撮影が行われた自機の向きとが異なるか判定する向き判定手段と、
を備え、
前記向き判定手段により、当該撮影が行われた自機の向きと当該撮影より前に撮影が行われた自機の向きが異なると判定された場合には、当該撮影より前に撮影が行われた自機の向きに従って、画像を分割することなく１枚の画像といて記憶する、又は、画像を分割して複数枚の画像として記憶する制御を行うことを特徴とする請求項１乃至６のいずれか１項に記載の情報処理装置。
【請求項８】
前記撮影手段により撮影されて得られる画像から認識される被写体が、当該画像を複数枚の画像として記憶すべき位置にあるか判定する被写体判定手段と、
前記記憶制御手段は、横向きの状態で撮影されて得られた画像における被写体が、前記被写体判定手段により当該画像を分割すべき位置にあると判定された場合に、当該画像を複数枚の画像として記憶すべく制御することを特徴とする請求項１乃至７のいずれか１項に記載の情報処理装置。
【請求項９】
撮影手段を備える情報処理装置の情報処理方法であって、
撮影手段による撮影が、自機が縦向きの状態で行われたか横向きの状態で行われたかを判定する判定工程と、
前記判定工程により自機が縦向きの状態で撮影されたと判定される画像を分割することなく１枚の画像として記憶し、前記判定工程により自機が横向きの状態で撮影されたと判定される画像を複数枚の画像に分割して記憶すべく制御する記憶制御工程と、
を含むことを特徴とする情報処理方法。
【請求項１０】
撮影手段を備える情報処理装置を制御するプログラムであって、
前記情報処理装置を、
撮影手段による撮影が、自機が縦向きの状態で行われたか横向きの状態で行われたかを判定する判定手段と、
前記判定手段により自機が縦向きの状態で撮影されたと判定される画像を分割することなく１枚の画像として記憶し、前記判定手段により自機が横向きの状態で撮影されたと判定される画像を複数枚の画像に分割して記憶すべく制御する記憶制御手段として機能させるためのプログラム。
【請求項１１】
撮影手段を備える情報処理装置と、サーバ装置を含む情報処理システムであって、
撮影手段による撮影が、前記情報処理装置が縦向きの状態で行われたか横向きの状態で行われたかを判定する判定手段と、
前記判定手段により前記情報処理装置が縦向きの状態で撮影されたと判定される画像を分割することなく１枚の画像として記憶し、前記判定手段により前記情報処理装置が横向きの状態で撮影されたと判定される画像を複数枚の画像に分割して記憶すべく制御する記憶制御手段と、
前記記憶制御手段により記憶された画像を受信して記憶する記憶手段と、
を備えることを特徴とする情報処理システム。
【請求項１２】
撮影手段を備える情報処理装置と、サーバ装置を含む情報処理システムの情報処理方法であって、
撮影手段による撮影が、前記情報処理装置が縦向きの状態で行われたか横向きの状態で行われたかを判定する判定工程と、
前記判定工程により前記情報処理装置が縦向きの状態で撮影されたと判定される画像を分割することなく１枚の画像として記憶し、前記判定工程により前記情報処理装置が横向きの状態で撮影されたと判定される画像を複数枚の画像に分割して記憶すべく制御する記憶制御工程と、
前記記憶制御工程により記憶された画像を受信して記憶する記憶工程と、
を含むことを特徴とする情報処理方法。
【請求項１３】
撮影手段を備える情報処理装置と、サーバ装置を含む情報処理システムを制御するためのプログラムであって、
前記情報処理システムを、
撮影手段による撮影が、前記情報処理装置が縦向きの状態で行われたか横向きの状態で行われたかを判定する判定手段と、
前記判定手段により前記情報処理装置が縦向きの状態で撮影されたと判定される画像を分割することなく１枚の画像として記憶し、前記判定手段により前記情報処理装置が横向きの状態で撮影されたと判定される画像を複数枚の画像に分割して記憶すべく制御する記憶制御手段と、
前記記憶制御手段により記憶された画像を受信して記憶する記憶手段として機能させるためのプログラム。
【発明の詳細な説明】
【技術分野】
【０００１】
本発明は、情報処理装置、情報処理システム、情報処理方法及びプログラムに関する。
【背景技術】
【０００２】
製薬企業では、近年「薬の副作用」についての情報管理業務である製薬安全性情報管理業務（ＰＶ業務）が行われている。具体的には、製造販売後調査として製薬企業の医薬情報担当者（ＭＲ＝Ｍｅｄｉｃａｌ  Ｒｅｐｒｅｓｅｎｔａｔｉｖｅ／以下、ＭＲと記載する）が、当該製薬企業の提供している薬品の副作用や、当該薬品の使用によるものと疑われる感染症について調査する調査票を医師渡して記入してもらい、所定期間後に病院に出向いて回収する。
【０００３】
そして、例えば病院近くのコンビニ等からＦＡＸで本社に当該調査票を送信し、本社から独立行政法人  医薬品医療機器総合機構（Ｐｄｍａ（登録商標））に対して当該データを送信・登録することでＰｄｍａへの薬の副作用・感染症報告を行っている。近くにＦＡＸできる端末がない場合は、一度営業所に戻って、営業所に設置されているＦＡＸ装置から調査票のデータを本社にＦＡＸ送信している。この調査・報告業務は、薬事法に従って行われる業務である。
【０００４】
一部の企業では、このＦＡＸ装置を探す手間を省くため、調査票をスマートデバイスで撮影して、撮影した写真を本社のサーバに送信するシステムを採用している。例えば特許文献１では、建造物の被害状況の調査票の情報を入力し、携帯電話で撮影した画像と共に、調査票のデータベースを備えるホストコンピュータに送信する技術が公開されている。
【先行技術文献】
【特許文献】
【０００５】
【特許文献１】特開２００１−１６７１３３号公報
【発明の開示】
【発明が解決しようとする課題】
【０００６】
調査票のサイズは一般にＡ４サイズであり、複数ページにわたることがある。ページ数が多い場合には、調査票をＡ３見開きの冊子として綴じて医師に渡すことが行われている。ページごとの報告用に写真を残したい場合は、見開きの片側ページごとに撮影を行わなければならず手間であった。
【０００７】
また、一般的な写真撮影機能では、撮影された写真がプレビュー表示され、そのまま外部メモリ等の永続記憶領域に記憶されてしまうため、例えば撮影の角度等が不適切だった場合等、撮影ミスをした場合は、同じ被写体を再撮影することになる。つまり、同じ被写体の画像が重複して記憶されることとなり、後の報告業務の対象とする画像に同じ被写体の画像が入り込んでしまう原因となる。
【０００８】
調査票を使った報告業務のように社外の関係者との業務の場合、担当者個人の業務記録を残す業務等社内の業務と比べて正確性が求められる。よって、一般的な撮影機能を提供する通常の撮影モードの他に調査票撮影用の撮影モードを用意し、調査票用の撮影モードで撮影された画像は、ページごとの画像となるよう画像を例えば左右に分割してプレビュー表示し、本当に永続記憶領域に記憶するかユーザに確認、選択させることが考えられる。
【０００９】
しかし、調査票撮影用の撮影モードで撮影した画像を全て一律に分割すべきではない。例えば、Ａ４縦の冊子の表紙を撮影した画像を左右に分割してしまうと、表紙が真っ二つに割れた、報告に不適切な画像ができてしまうためである。
【００１０】
本発明は、撮影する装置の向きに応じて、記憶する画像の数を決定可能な仕組みを提供することを目的とする。
【課題を解決するための手段】
【００１１】
本発明は、撮影手段を備える情報処理装置であって、撮影手段による撮影が、自機が縦向きの状態で行われたか横向きの状態で行われたかを判定する判定手段と、前記判定手段により自機が縦向きの状態で撮影されたと判定される画像を分割することなく１枚の画像として記憶し、前記判定手段により自機が横向きの状態で撮影されたと判定される画像を複数枚の画像に分割して記憶すべく制御する記憶制御手段と、を備えることを特徴とする。
【発明の効果】
【００１２】
本発明によれば、撮影する装置の向きに応じて、記憶する画像の数を決定可能な仕組みを提供することができる。
【図面の簡単な説明】
【００１３】
【図１】本発明の第１の実施形態における、情報処理システムの構成の一例を示す図である。
【図２】本発明の第１の実施形態における、各種装置のハードウェア構成の一例を示す図である。
【図３】本発明の第１の実施形態における、各種装置の機能構成の一例を示す図である。
【図４】本発明の第１の実施形態における、ユーザ操作によるモード設定処理の流れを示すフローチャートである。
【図５】本発明の第１の実施形態における、携帯端末の向きに応じたガイド画像の表示処理の流れを示すフローチャートである。
【図６】本発明の第１の実施形態における、携帯端末の向きに応じた撮影画像の表示及び記憶処理の流れを示すフローチャートである。
【図７】本発明の第１の実施形態における、各種データ構成の一例を示す図である。
【図８】本発明の第１の実施形態における、撮影画面及びプレビュー表示画面の構成の一例を示す図である。
【図９】本発明の第１の実施形態における、撮影画面及びプレビュー表示画面の構成の一例を示す図である。
【図１０】本発明の第１の実施形態における、画像一覧画面及び送信画面の構成の一例を示す図である。
【図１１】本発明の第１の実施形態における、画像補正の説明図である。
【図１２】本発明の第１の実施形態における、加速度の値の一例を示す図である。
【図１３】本発明の第１の実施形態における、携帯端末の向きと加速度の値の関係の一例を示す図である。
【図１４】本発明の第２の実施形態における、処理の流れを示す図である。
【図１５】本発明の第３の実施形態における、処理の流れを示す図である。
【図１６】本発明の第４の実施形態における、処理の流れを示す図である。
【図１７】通常の撮影モードの、撮影画面及びプレビュー表示画面の構成の一例を示す図である。
【発明を実施するための形態】
【００１４】
以下、図面を参照して、本発明の実施の形態の一例について説明する。
【００１５】
＜第１の実施形態＞
まず図１を参照して、本発明の第１の実施形態における、情報処理システムの構成の一例について説明する。
【００１６】
本発明の情報処理システムは、携帯端末１００と、サーバ２００が、ネットワーク１０１（例えばＷＡＮ＝ワイドエリアネットワーク）を介して通信可能に接続され構成されている。
【００１７】
携帯端末１００は、調査票をカメラで撮影して記憶し、ネットワーク１０１を介してサーバ２００又はサーバ３００に送信する情報処理装置である。例えば、報告業務で必要である調査票の画像をサーバ２００に送信し、それ以外の、例えば会議の様子やホワイトボードを撮影したような通常業務の画像をサーバ３００に送信する。また、携帯端末１００はタッチパネルディスプレイを備える。
【００１８】
サーバ２００は、例えば、調査票の管理を行うサーバである。サーバ２００は、携帯端末１００から送信された複数の画像を受信し、１つのＰＤＦファイルに変換して保存する。受信する画像は、例えば調査票の画像である。
【００１９】
サーバ３００は、例えば、各担当者（ＭＲ）の通常業務の履歴を管理するためのサーバである。サーバ３００は、携帯端末１００から送信された画像を受信し、当該画像を記憶するためのフォルダを生成して、当該フォルダ内に受信した画像を記憶する。受信する画像は、例えば調査票以外の画像である。以上が図１の説明である。
【００２０】
次に図２を参照して、本発明の第１の実施形態における各種装置のハードウェア構成の一例について説明する。図２は、携帯端末１００、サーバ２００のハードウェア構成の一例を示す図である。
【００２１】
図２に示すように、情報処理装置では、システムバス２０４を介してＣＰＵ（Ｃｅｎｔｒａｌ  Ｐｒｏｃｅｓｓｉｎｇ  Ｕｎｉｔ）２０１、ＲＯＭ（Ｒｅａｄ  Ｏｎｌｙ  Ｍｅｍｏｒｙ）２０２、ＲＡＭ（Ｒａｎｄｏｍ  Ａｃｃｅｓｓ  Ｍｅｍｏｒｙ）２０３、入力コントローラ２０５、ビデオコントローラ２０６、メモリコントローラ２０７、および通信Ｉ／Ｆコントローラ２０８が接続される。
【００２２】
ＣＰＵ２０１は、システムバス２０４に接続される各デバイスやコントローラを統括的に制御する。
【００２３】
ＲＯＭ２０２あるいは外部メモリ２１１は、ＣＰＵ２０１が実行する制御プログラムであるＢＩＯＳ（Ｂａｓｉｃ  Ｉｎｐｕｔ／Ｏｕｔｐｕｔ  Ｓｙｓｔｅｍ）やＯＳ（Ｏｐｅｒａｔｉｎｇ  Ｓｙｓｔｅｍ）や、本情報処理方法を実現するためのコンピュータ読み取り実行可能なプログラムおよび必要な各種データ（データテーブルを含む）を保持している。
【００２４】
ＲＡＭ２０３は、ＣＰＵ２０１の主メモリ、ワークエリア等として機能する。ＣＰＵ２０１は、処理の実行に際して必要なプログラム等をＲＯＭ２０２あるいは外部メモリ２１１からＲＡＭ２０３にロードし、ロードしたプログラムを実行することで各種動作を実現する。
【００２５】
入力コントローラ２０５は、キーボード２０９や不図示のマウス等のポインティングデバイス、カメラ等の入力装置からの入力を制御する。入力装置がタッチパネルの場合、ユーザがタッチパネルに表示されたアイコンやカーソルやボタンに合わせて押下（指等でタッチ）することにより、各種の指示を行うことができることとする。
【００２６】
また、タッチパネルは、マルチタッチスクリーンなどの、複数の指でタッチされた位置を検出することが可能なタッチパネルであってもよい。
【００２７】
ビデオコントローラ２０６は、ディスプレイ装置２１０などの外部出力装置への表示を制御する。ディスプレイ装置は本体と一体になったノート型パソコンのディスプレイ装置も含まれるものとする。
【００２８】
なお、外部出力装置はディスプレイ装置に限ったものははく、例えばプロジェクタであってもよい。また、前述のタッチ操作を受け付け可能な装置については、入力装置も提供する。例えば携帯端末１００は、タッチパネルディスプレイ装置を備える。
【００２９】
なおビデオコントローラ２０６は、表示制御を行うためのビデオメモリ（ＶＲＡＭ）を制御することが可能で、ビデオメモリ領域としてＲＡＭ２０３の一部を利用することもできるし、別途専用のビデオメモリを設けることも可能である。
【００３０】
メモリコントローラ２０７は、外部メモリ２１１へのアクセスを制御する。外部メモリとしては、ブートプログラム、各種アプリケーション、フォントデータ、ユーザファイル、編集ファイル、および各種データ等を記憶する外部記憶装置（ハードディスク）、フレキシブルディスク（ＦＤ）、或いはＰＣＭＣＩＡカードスロットにアダプタを介して接続されるコンパクトフラッシュ（登録商標）メモリ等を利用可能である。
【００３１】
通信Ｉ／Ｆコントローラ２０８は、ネットワークを介して外部機器と接続・通信するものであり、ネットワークでの通信制御処理を実行する。例えば、ＴＣＰ／ＩＰを用いた通信やＩＳＤＮなどの電話回線、および携帯電話の３Ｇ回線を用いた通信が可能である。
【００３２】
尚、ＣＰＵ２０１は、例えばＲＡＭ２０３内の表示情報用領域へアウトラインフォントの展開（ラスタライズ）処理を実行することにより、ディスプレイ上での表示を可能としている。また、ＣＰＵ２０１は、ディスプレイ上の不図示のマウスカーソル等でのユーザ指示を可能とする。
【００３３】
２１２は加速度センサであり、例えば携帯端末１００の加速度を検出する。尚、加速度センサが外部装置として携帯端末１００等の装置に取り付けられている場合、例えば、加速度センサ２１２は入力コントローラ２０５と通信することで検出した加速度の情報を携帯端末１００に伝達する
【００３４】
２１３は撮影装置であり、被写体の画像を撮影する。尚、撮影装置が外部装置として携帯端末１００等の装置に取り付けられている場合、例えば、撮影装置２１３は入力コントローラ２０５と通信することで検出した撮影した画像を携帯端末１００に出力する。以上が図２の説明である。
【００３５】
次に図３を参照して、本発明の第１の実施形態における、各種装置の機能構成の一例について説明する。
【００３６】
携帯端末１００には、３１１〜３１７に示す機能を備える、画像記憶アプリケーションがインストールされている。
【００３７】
撮影部３１１は、被写体を撮影することにより撮影画像を生成して取得する機能部である。向き判定部３１２は、携帯端末１００の向き（画面の向き）を判定数判定して特定する機能部である。
【００３８】
画面表示部３１３は、撮影画面やプレビュー表示画面を表示する機能部である。画像処理部３１４は、撮影した画像の形状補正や分割処理による分割後の画像の生成を行う機能部である。
【００３９】
記憶部３１５は、撮影された画像、補正後の画像を一時記憶領域に記憶したり、永続記憶領域に記憶したりする機能部である（記憶制御手段に該当）。
【００４０】
送信先特定部３１６は、通常モードで撮影された画像の送信先と、調査票撮影モードで撮影された画像の送信先を特定する機能部である。例えば通常モードで撮影された通常の業務記録の画像（会議やホワイトボード等の画像）の送信先として、サーバ３００を決定・特定する。調査票撮影モードで撮影された調査票の画像の送信先として、サーバ２００を決定・特定する（送信先決定手段に該当）。
【００４１】
送信部３１７は、送信対象とされた画像を送信先であるサーバ２００又はサーバ３００に送信する機能部である。
【００４２】
受信部３２１は、送信部３１７により送信された画像を受信する機能部である。文書ファイル生成部３２２は、受信した複数の画像ファイルを１つの文書にまとめる処理を行う機能部である。具体的には、１回の調査票の報告として送信されてきた複数の画像を、複数ページのＰＤＦ帳票（１つの文書ファイル）に変換する。
【００４３】
記憶部３２３は、受信した画像を記憶し、前述した文書ファイルを調査結果のデータとして記憶する機能部である。
【００４４】
受信部３３１は、送信部３１７により送信された画像を受信する機能部である。フォルダ生成部３３２は、受信した画像ファイルを格納するフォルダを自機の外部メモリ内に生成する機能部である。フォルダ名は、例えば画像の送信元の携帯端末１００に対応するユーザ名＋日時とする。ユーザ名と携帯端末１００の対応関係は、サーバ３００に予め記憶されているものとする。
【００４５】
記憶部３３３は、受信した画像を、フォルダ生成部３３２で生成したフォルダに記憶する機能部である。以上が図３の説明である。
【００４６】
次に図４を参照して、本発明の第１の実施形態における、ユーザ操作によるモード設定処理の流れについて説明する。図４の各処理は、携帯端末１００のＣＰＵ２０１が、携帯端末１００に記憶されている画像記憶アプリケーションの備える各種機能部の機能を用いて実行する。
【００４７】
ステップＳ４０１で、携帯端末１００は、携帯端末１００に記憶されている撮影アプリケーションをユーザ操作に応じて起動し、撮影画面を表示する。
【００４８】
具体的には、画像記憶アプリケーションの起動後に表示される不図示のメニュー画面から、撮影画面の表示操作を受け付けたことに応じて撮影画面を表示する。また、画像記憶アプリケーションを終了するか、撮影画面の終了操作を受け付けることで、撮影画面の表示を終了する。
【００４９】
撮影画面の一例を図８の８００、図９の９００、図１７の１７００に示す。８００、９００及び１７００の詳細については後述する。
【００５０】
ステップＳ４０２で、画像記憶アプリケーションはユーザ操作を受け付ける。そしてステップＳ４０３で、受け付けた操作が通常撮影モードへのモード変更操作か、調査票撮影モードへのモード変更操作かを判定する。
【００５１】
通常撮影モードとは、撮影された画像を撮影後にそのままプレビュー表示し、ユーザ操作によることなく、自動で外部メモリ２１１に記憶するモードである。
【００５２】
調査票撮影モードとは、撮影された画像を、撮影された時点の携帯端末１００の向きに応じて、そのままＲＡＭ２０３に記憶してプレビュー表示するのか、複数枚の画像に分割してＲＡＭ２０３に記憶して複数枚の画像に分割されたことがわかるようにプレビュー表示するかを切り替えるモードある。また、プレビュー表示画面において、表示されている画像を記憶する操作を受け付けることで、当該画像を外部メモリ２１１に記憶するモードである。
【００５３】
各モードを示す識別情報は、予め携帯端末１００の外部メモリ２１１に記憶されている。
【００５４】
なお、デフォルトでは調査票撮影モードが設定されているものとする。８００及び９００は、調査票撮影モードの撮影画面である。１７００は、通常撮影モードの撮影画面である。
【００５５】
ステップＳ４０１では、撮影画面の表示操作を受け付けた時点で設定されている（現在有効な）モードを外部メモリ２１１に記憶されているモード設定７００を参照して特定し、当該モードに応じた撮影画面を表示する。
【００５６】
画像記憶アプリケーションは、図８のアイコン８０２、または図９のアイコン９０２（現在、調査票撮影モードが設定されていることを示すアイコン）の押下を受け付けた場合に、通常撮影モードへのモード変更操作がされたと判定する。
【００５７】
また、図１７のアイコン１７０１（現在、通常撮影モードが設定されていることを示すアイコン）の押下を受け付けた場合に、調査票撮影モードへのモード変更操作がされたと判定する。
【００５８】
受け付けた操作が通常撮影モードへのモード変更操作である場合は処理をステップＳ４０４に移行して通常撮影モードを有効にすべく、モード設定７００を通常撮影モードに書き換える。つまり、モードを通常撮影モードに変更する。
【００５９】
受け付けた操作が調査票撮影モードへのモード変更操作である場合は処理をステップＳ４０５に移行して調査票撮影モードを有効にすべく、モード設定７００を調査票撮影モードに書き換える。つまり、モードを調査票撮影モードに変更する。以上が図４の説明である。
【００６０】
次に図５を参照して、本発明の第１の実施形態における、携帯端末の向きに応じたガイド画像の表示処理の流れについて説明する。図５の各処理は、携帯端末１００のＣＰＵ２０１が、携帯端末１００に記憶されている画像記憶アプリケーションの備える各種機能部の機能を用いて実行する。
【００６１】
ステップＳ５００で、画像記憶アプリケーションは、携帯端末１００自身の（自機の）向きの情報を取得する。
【００６２】
携帯端末１００の向きの情報は、携帯端末１００の向きが変わる都度取得される。具体機には、画像記憶アプリケーションがＯＳに対して、携帯端末１００の向きが変化した場合には変化後（変更後）の向きを画像記憶アプリケーションに通知するよう指示・要求する。
【００６３】
当該指示を受け付けたＯＳは、自機の向きが変化したと判定される都度、変化後の向きの情報を画像記憶アプリケーションに送信する。これを携帯端末１００が受信してステップＳ４０２で取得する。
【００６４】
ＯＳは図１２の１２００に示すような加速度の値から自機がどの向きを向いているかを特定する機能を有している。
【００６５】
１２１０は、加速度と携帯端末１００の向きの関係の一例である。Ｘ，Ｙ，Ｚの値は加速度センサにより計測され取得した加速度の値を示す。ＯＳは、例えば現在加速度センサによって計測されて取得されている値（Ｘ，Ｙ，Ｚ）と最も近い値の状態を現在の端末の向き（状態）と判断する。
【００６６】
実際の携帯端末１００の向き（状態）と加速度の値の関係の一例を図１３に示す。
【００６７】
ＯＳは、画像記憶アプリケーションからの指示に従って、携帯端末１００の画面の向きが変化する都度、変化後の向きを示す値を送信する。向きの値は図７の７１０に示す。具体的には、画面の向きが図１２の１２１０の縦状態に最も近い状態の場合に「Ｐｏｒｔｒａｉｔ」という値を返す。画面の向きが逆さ状態に最も近い状態の場合に「Ｕｐｓｉｄｅｄｏｗｎ」という値を返す。画面の向きが左横状態に最も近い状態の場合に「Ｌａｎｄｓｃａｐｅｌｅｆｔ」という値を返す。画面の向きが右横状態に最も近い状態の場合に「Ｌａｎｄｓｃａｐｅｒｉｇｈｔ」という値を返す。画像記憶アプリケーションは、ＯＳから送信された値を取得する。そして、取得した向きの情報を、現在の自機の向きの情報としてＲＡＭ２０３に記憶して保持する。
【００６８】
画像記憶アプリケーションは、ステップＳ５０２からステップＳ５０５の処理を、画像記憶アプリケーションの撮影画面が表示されてから、撮影画面の表示が終了するまでの間、撮影モードが変更される都度（画面の向きを取得する都度）実行する。
【００６９】
ステップＳ５０１で、画像記憶アプリケーションは、モード設定７００を参照して、現在設定中のモードが通常撮影モードか調査票撮影モードか判定する。
【００７０】
通常撮影モードが設定されている場合は処理を終了し、調査票撮影モードが設定されている場合は、処理をステップＳ５０２に移行する。
【００７１】
ステップＳ５０２で、画像記憶アプリケーションは、自機の現在の向きが縦向きか横向きか判定する。縦向きの場合は処理をステップＳ５０５に移行する。横向きの場合は処理をステップＳ５０３に移行する。
【００７２】
具体的には、ＯＳから取得したてＲＡＭ２０３に記憶されている現在の自機の向きの情報が「Ｐｏｒｔｒａｉｔ」又は「Ｕｐｓｉｄｅｄｏｗｎ」の場合に、携帯端末１００の画面（携帯端末１００）が縦向きであると判定する。また、取得した値が「Ｌａｎｄｓｃａｐｅｌｅｆｔ」又は「Ｌａｎｄｓｃａｐｅｒｉｇｈｔ」の場合に、画面が横向きであると判定する。
【００７３】
ステップＳ５０５で、画像記憶アプリケーションは、撮影画面のライブビューの表示領域に対し、ライブビューの表示領域内に配置できる最も大きなＡ４用紙の縦横比（縦：横＝√２：１）の矩形サイズを算出し、ライブビューの表示領域内の配置位置を決定して、仮に当該位置にＡ４縦の矩形を配置した場合の四隅の位置を特定して、特定された四隅の位置にガイド枠を表示する（ライブビューに重畳表示する）。
【００７４】
ライブビュー表示の機能は、一般的にコンパクトデジタルカメラやスマートフォン等に搭載されている機能である。具体的には、ディスプレイ装置に対して、例えば自機の備える撮影装置（カメラ／撮像装置）の撮影素子からの出力を、映像としてリアルタイムに映し出す機能である。
【００７５】
縦向きの状態における撮影画面の一例を図８の８００に示す。８０５はライブビューの表示領域である。８０４はシャッターボタンである。
【００７６】
８０１は、被写体である調査票である。８０２は、携帯端末１００において現在は調査票撮影モードが設定されていることが識別可能なようにユーザに通知するためのアイコンである。アイコン８０２は、現在設定されているモードが通常撮影モードになれば、通常撮影モードを示す表示に切り替えて表示する（図１７のアイコン１７０１）。
【００７７】
また、アイコン８０２の押下を受け付けた場合は、設定中のモードを通常撮影モードに切り替える。
【００７８】
８０３はガイド枠である。ガイド枠８０３の画像は予め携帯端末１００の外部メモリ２１１に記憶されている。例えば図７のガイド画像７２０における「ｇｕｉｄｅ＿ｆｒａｍｅ．ｊｐｇ」がガイド枠８０３の画像である。
【００７９】
ステップＳ５０３では、画像記憶アプリケーションは、撮影画面のライブビューの表示領域に対し、ライブビューの表示領域内に配置できる最も大きな横向きＡ３用紙の縦横比（縦：横＝１：√２）の矩形サイズを算出し、ライブビューの表示領域内の配置位置を決定して、仮に当該位置にＡ３横の矩形を配置した場合の四隅の位置を特定して、特定された四隅の位置にガイド枠を表示する（ライブビューに重畳表示する）。ガイド枠は、例えばガイド枠９０３である。
【００８０】
さらに、ステップＳ５０４で、ライブビューの表示領域の中央に、撮影後のＡ３見開きの補正画像を左右に分割する基準となるガイド線（区切り線）を重畳表示する。具体的には図９の９００に示すように、ガイド線９０６を表示する。
【００８１】
Ａ４の冊子を開いた際の（Ａ３見開きの）ノドの部分を当該ガイド線に合わせて調査票を撮影することで、適切に左右のページを分割できる画像を撮影することができる。以上が図５の説明である。
【００８２】
横向きの状態における撮影画面の一例を図９の９００に示す。９０５はライブビューの表示領域である。９０４はシャッターボタンである。
【００８３】
９０１Ｌは、被写体である調査票のＡ３見開きの左側のページである。９０１Ｒは、被写体である調査票のＡ３見開きの右側のページである。
【００８４】
９０２は、携帯端末１００において現在は調査票撮影モードが設定されていることが識別可能なようにユーザに通知するためのアイコンである。アイコン９０２は、現在設定されているモードが通常撮影モードになれば、通常撮影モードを示す表示に切り替えて表示する（図１７のアイコン１７０１）。
【００８５】
また、アイコン９０２の押下を受け付けた場合は、設定中のモードを通常撮影モードに切り替える。
【００８６】
９０３はガイド枠である。ガイド枠９０３の画像は予め携帯端末１００の外部メモリ２１１に記憶されている。例えば図７のガイド画像７２０における「ｇｕｉｄｅ＿ｆｒａｍｅ．ｊｐｇ」であり、ガイド枠８０３の画像と同じである。
【００８７】
９０６はガイド線である。ガイド線９０６の画像は予め携帯端末１００の外部メモリ２１１に記憶されている。例えば図７のガイド画像７２０における「ｇｕｉｄｅ＿ｌｉｎｅ．ｊｐｇ」がガイド線９０６の画像である。
【００８８】
次に図６を参照して、本発明の第１の実施形態における、携帯端末の向きに応じた撮影画像の表示及び記憶処理の流れについて説明する。図６の各処理は、携帯端末１００のＣＰＵ２０１が、携帯端末１００に記憶されている画像記憶アプリケーションの備える各種機能部の機能を用いて実行する。
【００８９】
ステップＳ６００で、画像記憶アプリケーションは撮影操作を受け付ける。例えばシャッターボタンの押下操作を受ける。撮影操作を受け付けると、ステップＳ６０１で撮影を実行する。具体的には、画像記憶アプリケーションが、携帯端末１００が備える撮影装置に撮影実行を指示し、撮影装置が撮影を実行する。
【００９０】
ステップＳ６０２で、画像記憶アプリケーションは撮影装置から撮影された画像（撮影画像）を取得すると、一時記憶領域に保存する。また、当該画像と対応付けて、当該画像が撮影された時点における自機の向きの情報を対応付けて記憶する。また、当該画像と対応付けて、当該画像が通常モードで撮影された画像か、調査票撮影モードで撮影された画像かを識別する識別情報を記憶する
【００９１】
具体的には、ＲＡＭ２０３の上に撮影画像の一時記憶テーブルを生成し、当該テーブルに記憶する。例えば、ステップＳ６０２で画像を記憶した一時記憶テーブルの一例を図７の撮影画像記憶テーブル７３０に示す。
【００９２】
ステップＳ６０３で、画像記憶アプリケーションは、現在設定中のモードを参照する。具体的には、図７のモード設定７００の値を参照する。
【００９３】
ステップＳ６０４で、画像記憶アプリケーションは、現在設定中のモードが通常撮影モードか調査票撮影モードか判定する。通常モードが設定されている場合は処理をステップＳ６１４に移行し、調査票撮影モードが設定されている場合は、処理をステップＳ６０５に移行する。
【００９４】
ステップＳ６０５で、画像記憶アプリケーションは、当該画像が、自機が縦の状態で撮影された縦の画像か、自機が横向きの状態で撮影された横の画像かを判定する。自機が縦の状態で撮影された縦の画像である場合は処理をステップＳ６１２に移行し、自機が横向きの状態で撮影された横の画像である場合には処理をステップ６０６に移行する。
【００９５】
ステップＳ６１２で、画像記憶アプリケーションは、ステップＳ６０４で一時記憶した画像を取得して補正する。具体的には、取得した画像の中の被写体の頂点を認識し、認識された頂点を、Ａ４縦の用紙の形状を示す矩形の頂点に一致させるように、画像の形状を変形させる補正を行う。変形の様子を図１１の１１２０に示す。
【００９６】
例えば図１１の１１０２に示す被写体の頂点（補正対象の点）を、A４縦のサイズの矩形（予め携帯端末１００の外部メモリに記憶されている矩形）の頂点に一致させるように、矢印１１０３に示すように画像を変形させ、当該被写体の画像を縦向きのＡ４用紙のサイズ・形状とする補正を行う。図１１の１１００では説明のため、ガイド枠の頂点１１０１を用いて図示している。補正の途中の例を１１１０に示す。
【００９７】
実査には、外部メモリに記憶されているＡ４縦のサイズの矩形の各頂点に左上、右上、左下、右下を示す識別情報をそれぞれ付与する。また、トリミングした被写体の画像の各頂点にも左上、右上、左下、右下を示す識別情報をそれぞれ付与し、左上の頂点同士、右上の頂点同士、左下の頂点同士、右下の頂点同士が一致するように、被写体の画像を変形させることで、当該被写体の画像をＡ４用紙の縦横比（縦：横＝√２：１）に合うように形状変更する補正を行う。
【００９８】
その後、ＲＡＭ２０３等の一時記憶領域に、補正後の画像であって、プレビュー表示する画像を記憶する補正画像記憶テーブルを生成して、補正後の画像（補正画像）をそのまま（１枚の画像として）記憶する。補正後の画像をそのまま記憶した補正画像記憶テーブルの一例を図７の７４０Ａに示す。
【００９９】
ステップＳ６１３で、画像記憶アプリケーションは、ステップＳ６１２で補正画像記憶テーブル７４０Ａに記憶された補正後の画像を、表示画面に１枚の画像としてプレビュー表示する。プレビュー表示の一例を図８の８１０に示す。
【０１００】
８１０は、携帯端末１００が縦向きの状態で撮影された画像のプレビュー表示画面の一例である。８１１は補正後の画像である。
【０１０１】
「決定」ボタン８１２は、画像８１１を永続記憶領域、例えば外部メモリ２１１に記憶するためのボタンである。永続記憶領域に記憶された画像は、後にサーバ２００に送信する画像の候補として選択可能とする画像である。
【０１０２】
「取り消し」ボタン８１３は、画像８１１を破棄し、プレビュー表示を終了して撮影画面に戻るためのボタンである。
【０１０３】
ステップＳ６０６では、画像記憶アプリケーションは、ステップＳ６０４で一時記憶した画像を取得して補正する。具体的には、取得した画像の中の被写体の頂点を認識し、認識された頂点を、Ａ３横の用紙の形状を示す矩形の頂点に一致させるように、画像の形状を変形させる補正を行う。補正の内容はＡ４縦の補正時と同じである。
【０１０４】
例えば図１１の１１２２に示す被写体の頂点（補正対象の点）を、A３横のサイズの矩形（予め携帯端末１００の外部メモリに記憶されている矩形）の頂点に一致させるように、矢印１１２３に示すように画像を変形させ、当該被写体の画像を横向きのＡ３用紙のサイズ・形状とする補正を行う。図１１の１１２０では説明のため、ガイド枠の頂点１１２１を用いて図示している。
【０１０５】
その後、ステップＳ６０７で、画像記憶アプリケーションは、ステップＳ６０６で補正した画像を、左右に２等分に分割することで２枚の画像データを生成し、複数枚の画像として一時記憶領域に記憶する。
【０１０６】
具体的には、補正画像記憶テーブルをＲＡＭ２０３に生成し、補正後のＡ３横向きの画像を、縦向きのＡ４画像２枚として分割して、２枚の画像を当該補正画像記憶テーブルに記憶する。
【０１０７】
分割された複数枚の画像を記憶した補正画像記憶テーブルの一例を図７の補正画像記憶テーブル７４０Ｂに示す。「ｐｉｃｔｕｒｅ００１Ａ＿ｌｅｆｔ」が、補正後の調査票の画像の左側ページの画像として分割され生成、記憶された画像である。「ｐｉｃｔｕｒｅ００１Ａ＿ｒｉｇｈｔ」が、補正後の調査票の画像の右側ページの画像として分割され生成、記憶された画像である。
【０１０８】
ステップＳ６０８で、画像記憶アプリケーションは、ステップＳ６０７で分割し、補正画像記憶テーブル７４０Ｂに記憶された複数枚の補正後の画像を、表示画面に、分離させた状態で左右に並べてプレビュー表示する。プレビュー表示の一例を図９の９１０に示す。
【０１０９】
補正画像記憶テーブル７４０Ｂから取得した複数の画像の表示位置を、複数の画像が離れて（分離して）表示される位置（例えば図９の９１０における９１４Ｌ、９１４Ｒの位置）にそれぞれ決定し、決定した位置のそれぞれに表示対象の画像を配置して表示する。
【０１１０】
具体的には、基準線９１５Ｌ（破線）の中心点の位置９１４Ｌに左側の画像の左辺の中心点を合わせ、当該画像を、基準線９１６Ｌ（破線）のいずれかに達するまで、アスペクト比を維持したまま拡大又は縮小することで、画像のサイズと位置を決定している。なお、実際のプレビュー表示画面には各基準線は表示しない。また、基準線９１５Ｌはライブビュー表示領域の左端から所定距離の位置に設定し、基準線９１６Ｌはそれぞれライブビュー表示領域の上端、下端、中央から線から所定距離の位置に設定する。
【０１１１】
また、基準線９１５Ｒ（破線）の中心点の位置９１４Ｒに右側の画像の右辺の中心点を合わせ、当該画像を、基準線９１６Ｒ（破線）のいずれかに達するまで、アスペクト比を維持したまま拡大又は縮小することで、画像のサイズと位置を決定して表示する。なお、実際のプレビュー表示画面には各基準線は表示しない。また、基準線９１５Ｒはライブビュー表示領域の右端から所定距離の位置に設定し、基準線９１６Ｒはそれぞれライブビュー表示領域の上端、下端、中央から線から所定距離の位置に設定する。
【０１１２】
９１０は、携帯端末１００が状態で撮影された画像を分割して表示しているプレビュー表示画面の一例である。９１１Ｌは、９０１Ｌに示す左ページの画像が補正された画像である。９１１Ｒは、９０１Ｒに示す右ページの画像が補正された画像である。
【０１１３】
「決定」ボタン９１２は、画像９１１Ｌ及び９１１Ｒを永続記憶領域、例えば外部メモリ２１１に記憶するためのボタンである。永続記憶領域に記憶された画像は、後にサーバ２００に送信する画像の候補として選択可能とする画像である。
【０１１４】
「取り消し」ボタン９１３は、画像９１１Ｌ及び９１１Ｒを破棄し、プレビュー表示を終了して撮影画面に戻るためのボタンである。
【０１１５】
ステップＳ６０９で、画像記憶アプリケーションはユーザ操作を受け付け、ステップＳ６１０で、受け付けた操作がプレビュー表示されている画像（ステップＳ６０７又はＳ６１２で記憶された補正画像記憶テーブルの画像）の、外部メモリ２１１への記憶を確定する操作か、当該画像を破棄する操作か判定する（操作判定手段に該当）。
【０１１６】
例えば、プレビュー表示画面における「決定」ボタンの押下を受け付けた場合に、プレビュー表示されている画像の、外部メモリ２１１への記憶を確定する操作を受け付けたと判定する。
【０１１７】
また、プレビュー表示画面における「取り消し」ボタンの押下を受け付けた場合に、プレビュー表示されている画像を破棄する操作を受け付けたと判定する。
【０１１８】
ステップＳ６０９で受け付けた操作が、プレビュー表示されている画像の、外部メモリ２１１への記憶を確定する操作であると判定された場合は、処理をステップＳ６１１に移行する。
【０１１９】
ステップＳ６０９で受け付けた操作が、プレビュー表示されている画像の破棄の操作であると判定された場合に、プレビュー表示画面を終了して撮影画面を表示する。
【０１２０】
ステップＳ６１１では、記憶を確定する操作がされた画像（「決定」ボタンの押下を受け付けた時点でプレビュー表示されていた画像）を、外部メモリ２１１に記憶する。具体的には、外部メモリ２１１に記憶されている画像記憶テーブル７５０（図７）に、当該画像を追加記憶する処理を行う。また、当該画像と対応付けて、当該画像が通常モードで撮影された画像か、調査票撮影モードで撮影された画像かを識別する識別情報を記憶する。その後、プレビュー表示画面を終了して撮影画面を表示する。
【０１２１】
ステップＳ６１４では、プレビュー表示画面１７１０（図７）を表示し、撮影画像記憶テーブル７３０に記憶されている画像をそのままプレビュー表示領域に表示する。また、処理をステップＳ６１１に移行して、表示した画像を外部メモリに記憶する。プレビュー画面表示後、所定時間経過したら画面を撮影画面に１７００に戻す。以上が図６の説明である。
【０１２２】
図１０を参照して、サーバ２００へ送信する画像の選択及び送信処理について説明する。
【０１２３】
画像一覧表示画面１０００は、画像記憶テーブル７５０に記憶されている画像を１枚ずつ、一覧にして表示する画像一覧の表示画面である。
【０１２４】
画像記憶アプリケーションは、不図示のメニュー画面において、画像一覧表示画面１０００を表示する操作を受け付けることで、画像一覧表示画面１０００を表示画面に表示する。
【０１２５】
画像記憶アプリケーションは、１００１に示す一覧表示部に、１０００に示すように画像一覧を、個別に選択可能に表示する。１００２は各画像の撮影日時である。
【０１２６】
画像の選択操作を受け付けると、画像を選択状態にする。選択状態の画像は選択枠１００３を表示して識別可能とする。（選択受付手段に該当）
【０１２７】
画像記憶アプリケーションは、「報告フォームへ移動」ボタン１００４の押下を受け付けると、選択状態の画像をサーバ２００への送信する対象画像として決定する。
【０１２８】
そして、送信対象として決定された画像の中に、調査票撮影モードで撮影された画像があるか判定する。ない場合には、送信対象の画像の送信先をサーバ３００に決定し、サーバ３００の識別情報を送信先として記憶し、送信対象の画像をサーバ３００に送信する。
【０１２９】
送信対象として決定された画像の中に調査票撮影モードで撮影された画像がある場合には、当該画像の送信先をサーバ２００に決定し、当該サーバ２００の識別情報を送信先として記憶し、表示画面を報告フォーム画面１０１０に表示遷移させる。
【０１３０】
ページ数表示部１０１１には、送信する対象画像の枚数を表示する。
【０１３１】
画像記憶アプリケーションは、報告する（サーバ２００に画像を送信する）調査票の調査対象の薬剤名と、情報源（例えば調査票を回収した病院名）と、当該報告を識別するための任意の管理番号の入力を受け付ける。
【０１３２】
そして、「送信」ボタン１０１２の押下を受け付けることで、送信対象の画像と、報告フォーム画面１０１０で入力を受け付けた各情報を、報告情報として、送信先として決定・記憶されているサーバ２００に送信する。
【０１３３】
サーバ２００のＣＰＵ２０１は、当該報告情報を受信し、そのなかの画像データを取得して、１つの文書ファイルに変換する。例えば、１０枚の画像を受信した場合、当該１０枚の画像を１０ページのＰＤＦファイルに変換して外部メモリに記憶する。以上が図１０の説明である。
【０１３４】
以上説明したように、本発明によれば、撮影する装置の向きに応じて、記憶する画像の数を決定可能な仕組みを提供することができる。
【０１３５】
例えば、撮影モードを変更することなく、所定の撮影モードの場合に、装置の向きに応じて、撮影した画像を分割して、または分割せずに画像記憶することが可能となる。
【０１３６】
また、画像の撮影後に、画像を分割するモードで撮影がされたことの確認を容易に行わせる仕組みを提供することが可能となる。
【０１３７】
また、画像の撮影後に、画像の撮影後に、画像が分割されたことの確認を容易に行わせる仕組みを提供することが可能となる。
【０１３８】
これにより、ユーザは画面に表示された画像を、その後利用する（報告対象の画像としてサーバに送信すべき）画像として記憶すべきか否かを容易に判断できるようになる。
【０１３９】
＜第２の実施形態＞
次に図１４を参照して、本発明の第２の実施形態における、処理の流れについて説明する。
【０１４０】
第１の実施形態においては、携帯端末の向きに応じて撮影した画像をそのまま記憶して表示するか、撮影された画像を複数枚の画像に分割して、分割されたことが分かるように表示するかを決定して切り替えるものとした。しかし、必ずしも端末の向きが変わる都度、記憶する画像の数や表示方法を変更したくないことがある。
【０１４１】
例えば、目の前の机に調査票を見開き状態にして横向きＡ３として置くだけの十分な横幅（場所）が確保できない場合、見開きの状態で冊子を手に持って、一度、携帯端末１００を横向きにして撮影し、以降ずっと手に持って撮影するのは疲れるため、見開きＡ３の調査票をＡ３縦として机に置き、撮影、分割して記憶したいことが考えられる。
【０１４２】
第２の実施形態においては、モードを変更のタイミングを適切に決定する仕組みを提供する。
【０１４３】
図１４の各処理は、携帯端末１００のＣＰＵ２０１が、携帯端末１００に記憶されている画像記憶アプリケーションの備える各種機能部の機能を用いて実行する。なお、第１の実施形態と共通の装置、構成、処理、画面、データ等の説明は割愛する。
【０１４４】
図１４の処理は、図６のステップＳ６０４で、調査票撮影モードが設定されていると判定された場合に開始する。
【０１４５】
ステップＳ１４０５で、画像記憶アプリケーションは、ステップＳ６０１で撮影された画像が、自機が縦の状態で撮影された縦の画像か、自機が横向きの状態で撮影された横の画像かを判定する。
【０１４６】
自機が縦の状態で撮影された縦の画像である場合は処理をステップＳ１４０２に移行し、自機が横向きの状態で撮影された横の画像である場合には処理をステップ１４０３に移行する。
【０１４７】
ステップＳ１４０２では、画像記憶アプリケーションは、当該撮影の直前の撮影で取得された画像が、自機が横の状態で撮影された横の画像か判定する。自機が横の状態で撮影された横の画像である場合には、処理をステップＳ６０６に移行し、自機が横の状態で撮影された横の画像でない場合には、処理をステップＳ１６１２に移行する。
【０１４８】
ステップＳ１４０３では、画像記憶アプリケーションは、当該撮影の直前の撮影で取得された画像が、自機が縦の状態で撮影された縦の画像か判定する。自機が縦の状態で撮影された縦の画像である場合には、処理をステップＳ６１２に移行し、自機が縦の状態で撮影された縦の画像でない場合には、処理をステップＳ６０６に移行する。
【０１４９】
なお、直前の撮影で取得された画像は、撮影画面が表示されてからステップＳ６０１の撮影が行われるまでに、メニュー画面に戻ることなく撮影された画像であるものとする。以上が第２の実施形態の説明である。
【０１５０】
第２の実施形態の発明によれば、モードを変更のタイミングを適切に決定する仕組みを提供することができる。
【０１５１】
＜第３の実施形態＞
次に図１５を参照して、本発明の第３の実施形態における、処理の流れについて説明する。
【０１５２】
第３の実施形態においては、撮影された画像を複数枚に分割するモードで撮影された画像であっても、被写体の位置と分割の基準位置にとの関係に応じて、被写体の画像を分割して両方記憶するか１枚記憶するかを適切に決定することができる仕組みを提供する。
【０１５３】
図１５の各処理は、携帯端末１００のＣＰＵ２０１が、携帯端末１００に記憶されている画像記憶アプリケーションの備える各種機能部の機能を用いて実行する。なお、第１の実施形態及び第２の実施形態と共通の装置、構成、処理、画面、データ等の説明は割愛する。
【０１５４】
図１５の処理は、図６のステップＳ６０５で横向きの状態で撮影されたと判定された直後に開始する。
【０１５５】
ステップＳ１５０１で、画像記憶アプリケーションは、撮影画像記憶テーブル７３０に記憶されている被写体の画像を読みだして被写体認識の処理を行い、被写体の頂点４点のライブビュー表示領域上の位置を特定する。そして、当該４点が、ライブビュー表示領域の左半分、又は右半分の領域内に収まるか判定する。つまり、画面の左右５０％以内の領域に被写体が収まっているか判定する。（被写体判定手段に該当）
【０１５６】
収まっていない場合は処理を図６のステップＳ６０７に移行する。収まっている場合には処理をステップＳ１５０２に移行する。
【０１５７】
ステップＳ１５０２で、画像記憶アプリケーションは、当該被写体を検出した側（４つの頂点を検出した側）の画像を切り出して取得し、ＲＡＭ２０３等の一時記憶領域に記憶する。
【０１５８】
ステップＳ１５０３で、画像記憶アプリケーションは、画像補正の補正先のサイズをＡ４縦のサイズ・形状の矩形に設定する。
【０１５９】
そして、ステップＳ１５０４で、被写体を検出した側の画像（実際に撮影した画像の右半分又は左半分の画像）の中から認識した被写体（調査票）の画像を切り出し、当該被写体の画像の各頂点を、Ａ４縦の矩形の頂点に合わせるように変形させて台形補正を行う。
【０１６０】
ステップＳ１５０５で、画像記憶アプリケーションは、補正後の画像を一時記憶領域（補正画像記憶テーブル）に記憶し、当該記憶した１枚の画像の、プレビュー画面における表示位置を決定する。
【０１６１】
本実施形態においては、撮影された画像の被写体がライブビュー画面の左側半分に収まっていた場合には、当該被写体の画像であって補正後の画像の表示位置を、プレビュー表示画面の左側の位置に決定して表示する。
【０１６２】
具体的には、基準線９１５Ｌ（破線）の中心点の位置９１４Ｌに画像の左辺の中心点を合わせ、当該画像を、基準線９１６Ｌ（破線）のいずれかに達するまで、アスペクト比を維持したまま拡大又は縮小することで、画像のサイズと位置を決定している。なお、実際のプレビュー表示画面には各基準線は表示しない。また、基準線９１５Ｌはライブビュー表示領域の左端から所定距離の位置に設定し、基準線９１６Ｌはそれぞれライブビュー表示領域の上端、下端、中央から線から所定距離の位置に設定する。
【０１６３】
撮影された画像の被写体がライブビュー画面の右側半分に収まっていた場合には、当該被写体の画像であって補正後の画像の表示位置を、プレビュー表示画面の右側の位置に決定する。
【０１６４】
具体的には、基準線９１５Ｒ（破線）の中心点の位置９１４Ｒに画像の右辺の中心点を合わせ、当該画像を、基準線９１６Ｒ（破線）のいずれかに達するまで、アスペクト比を維持したまま拡大又は縮小することで、画像のサイズと位置を決定して表示する。なお、実際のプレビュー表示画面には各基準線は表示しない。また、基準線９１５Ｒはライブビュー表示領域の右端から所定距離の位置に設定し、基準線９１６Ｒはそれぞれライブビュー表示領域の上端、下端、中央から線から所定距離の位置に設定する。
【０１６５】
ステップＳ１５０６で、画像記憶アプリケーションは、ステップＳ１５０５で決定された位置に補正画像記憶テーブルに記憶されている補正後の被写体画像を配置、表示する。
【０１６６】
なお、ステップＳ１５０５で決定された位置が画面左側の位置９１４Ｌを基準として基準線９１５Ｌと基準線９１６Ｌとの間の位置となる場合、画面右側の基準線９１５Ｒと基準線９１６Ｒとの間の位置には画像を表示しない。また、ステップＳ１５０５で決定された位置が画面右側の位置９１４Ｒを基準として基準線９１５ＬＲと基準線９１６Ｒとの間の位置となる場合、画面左側の基準線９１５Ｌと基準線９１６Ｌとの間の位置には画像を表示しない。以上が第３の実施形態の説明である。
【０１６７】
以上説明したように、本発明の第３の実施形態によれば、撮影された画像を複数枚に分割するモードで撮影された画像であっても、被写体の位置と分割の基準位置にとの関係に応じて、被写体の画像を分割して両方記憶するか１枚記憶するかを適切に決定することができる。
【０１６８】
例えば、調査票の表紙等Ａ４縦の用紙を撮影する際に、都度端末を縦にして撮影する手間を軽減できる。
【０１６９】
また、画面の片側にのみ被写体の画像を表示することで、撮影された画像を複数枚に分割するモードで撮影された画像であっても、被写体の画像を分割して両方記憶するか１枚記憶しているか／記憶するかを強調してユーザに提示し、確認させることができる。
【０１７０】
＜第４の実施形態＞
次に図１６を参照して、本発明の第４の実施形態における、処理の流れについて説明する。
【０１７１】
第４の実施形態においては、撮影された画像を複数枚に分割するモードで撮影された画像であっても、撮影の操作に応じて、１枚の画像として記憶するか複数枚の画像として記憶するかを容易に決定可能な仕組みを提供する。
【０１７２】
図１６の各処理は、携帯端末１００のＣＰＵ２０１が、携帯端末１００に記憶されている画像記憶アプリケーションの備える各種機能部の機能を用いて実行する。なお、第１の実施形態、第２の実施形態、第３の実施形態と共通の装置、構成、処理、画面、データ等の説明は割愛する。
【０１７３】
また、第４の実施形態においては、撮影操作は、シャッターボタンの押下と、ライブビュー表示領域の押下（タッチ）の２種類あるものとする。
【０１７４】
画像記憶アプリケーションは、ステップＳ６００で撮影操作を受け付けた場合に、当該撮影操作がシャッターボタンの押下操作か、ライブビュー表示領域の押下操作かを識別する識別情報をＲＡＭ２０３に記憶する。また、受け付けた操作がライブビュー表示領域の押下操作の場合には、押下された位置（ライブビュー表示領域上の位置）を記憶する。
【０１７５】
図１６の処理は、図６のステップＳ６０４で、調査票撮影モードと判定された直後に開始する。
【０１７６】
ステップＳ１６０１で、画像記憶アプリケーションは、ステップＳ６００で受け付けた撮影のための操作が、シャッターボタンの押下か、ライブビュー表示領域の押下か判定する。
【０１７７】
シャッターボタンの押下である場合は、処理を図６のステップＳ６０５に移行する。ライブビュー表示領域の押下である場合には、処理をステップＳ１６０２に移行する。
【０１７８】
ステップＳ１６０２で、画像記憶アプリケーションは、撮影操作を受け付けた位置が、ライブビュー表示領域のガイド線上か、ガイド線上を除いた左半分の領域内か、ガイド線上を除いた右半分の領域内かを判定する。
【０１７９】
ガイド線上、つまり、ライブビュー表示領域の中央線上に対する撮影操作の場合は、処理をステップＳ６０５に移行する。
【０１８０】
撮影操作を受け付けた位置が、ガイド線上を除いた左半分の領域内の場合には処理をステップＳ１６０７に、ガイド線上を除いた右半分の領域内の場合には処理をステップＳ１６０３に移行する。
【０１８１】
ステップＳ１６０３で、画像記憶アプリケーションは、撮影画像記憶テーブル７３０に記憶されている画像を取得して左右に二等分し、右半分の画像を取得する。
【０１８２】
ステップＳ１６０４で、ステップＳ１６０３で取得した画像から被写体の画像を切り出して、当該被写体の画像の各頂点を、Ａ４縦形状の矩形の頂点に一致させるように画像を変形させて補正を行う。そして補正後の画像を補正画像記憶テーブルに記憶する。
【０１８３】
一方、ステップＳ１６０７では、画像記憶アプリケーションは、撮影画像記憶テーブル７３０に記憶されている画像を取得して左右に二等分し、左半分の画像を取得する。
【０１８４】
ステップＳ１６０８で、ステップＳ１６０７で取得した画像から被写体の画像を切り出して、当該被写体の画像の各頂点を、Ａ４縦形状の矩形の頂点に一致させるように画像を変形させて補正を行う。そして補正後の画像を補正画像記憶テーブルに記憶する。
【０１８５】
ステップＳ１６０５で、画像記憶アプリケーションは、補正後の画像のプレビュー画面における表示位置を決定する。
【０１８６】
本実施形態においては、撮影操作の位置がライブビュー表示領域の左側の領域内の場合には、補正後の画像の表示位置を、プレビュー表示画面の左側の位置に決定する。
【０１８７】
撮影操作の位置がライブビュー表示領域の右側の領域内の場合には、補正後の画像の表示位置を、プレビュー表示画面の右側の位置に決定する。
【０１８８】
ステップＳ１６０６で、画像記憶アプリケーションは、ステップＳ１５０５で決定された位置に補正画像記憶テーブルに記憶されている補正後の被写体画像を配置、表示する。
【０１８９】
なお、ステップＳ１６０５で決定された位置が画面左側の位置の場合、画面右側の位置には画像を表示しない。また、ステップＳ１６０５で決定された位置が画面右側の位置の場合、画面左側の位置には画像を表示しない。以上が第３の実施形態の説明である。以上が第４の実施形態の説明である。
【０１９０】
第４の実施形態の発明によれば、撮影された画像を複数枚に分割するモードで撮影された画像であっても、撮影の操作に応じて、１枚の画像として記憶するか複数枚の画像として記憶するかを容易に決定可能な仕組みを提供することができる。
【０１９１】
例えば、調査票の表紙等Ａ４縦の用紙を撮影する際に、都度端末を縦にして撮影する手間を軽減できる。
【０１９２】
また、画面の片側にのみ被写体の画像を表示することで、撮影された画像を複数枚に分割するモードで撮影された画像であっても、被写体の画像を分割して両方記憶するか１枚記憶しているか／記憶するかを強調してユーザに提示し、確認させることができる。
【０１９３】
以上説明したように、本発明によれば、撮影する装置の向きに応じて、記憶する画像の数を決定可能な仕組みを提供することができる。
【０１９４】
上述した実施形態の説明においては、画像を受信したサーバ２００側で画像を文書ファイルに変換するものとしたが、例えばサーバ２００への送信対象の画像を１つの文書ファイルに変換する処理を携帯端末１００で行ってから、サーバ２００に送信するようにしてもよい。
【０１９５】
本発明は、例えば、システム、装置、方法、プログラム若しくは記憶媒体等としての実施形態も可能であり、具体的には、複数の機器から構成されるシステムに適用してもよいし、また、１つの機器からなる装置に適用してもよい。また、上述した各実施形態は自由に組み合わせ可能である。
【０１９６】
なお、本発明は、前述した実施形態の機能を実現するソフトウェアのプログラムを、システム或いは装置に直接、或いは遠隔から供給するものを含む。そして、そのシステム或いは装置のコンピュータが前記供給されたプログラムコードを読み出して実行することによっても達成される場合も本発明に含まれる。
【０１９７】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【０１９８】
プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【０１９９】
その他、プログラムの供給方法としては、クライアントコンピュータのブラウザを用いてインターネットのホームページに接続する。そして、前記ホームページから本発明のコンピュータプログラムそのもの、若しくは圧縮され自動インストール機能を含むファイルをハードディスク等の記録媒体にダウンロードすることによっても供給できる。
【０２００】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０２０１】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【０２０２】
また、コンピュータが、読み出したプログラムを実行することによって、前述した実施形態の機能が実現される。その他、そのプログラムの指示に基づき、コンピュータ上で稼動しているＯＳなどが、実際の処理の一部又は全部を行い、その処理によっても前述した実施形態の機能が実現され得る。
【０２０３】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部又は全部を行い、その処理によっても前述した実施形態の機能が実現される。
【０２０４】
尚、前述した実施形態は、本発明を実施するにあたっての具体化の例を示したものに過ぎず、これらによって本発明の技術的範囲が限定的に解釈されてはならないものである。
即ち、本発明はその技術思想、又はその主要な特徴から逸脱することなく、様々な形で実施することができる。
【符号の説明】
【０２０５】
１００  携帯端末
１０１  ネットワーク
２００  サーバ
３００  サーバ
【図１】
2018129734.tif 000003
【図２】
2018129734.tif 000004
【図３】
2018129734.tif 000005
【図４】
2018129734.tif 000006
【図５】
2018129734.tif 000007
【図６】
2018129734.tif 000008
【図７】
2018129734.tif 000009
【図８】
2018129734.tif 000010
【図９】
2018129734.tif 000011
【図１０】
2018129734.tif 000012
【図１１】
2018129734.tif 000013
【図１２】
2018129734.tif 000014
【図１３】
2018129734.tif 000015
【図１４】
2018129734.tif 000016
【図１５】
2018129734.tif 000017
【図１６】
2018129734.tif 000018
【図１７】
2018129734.tif 000019